(57)【特許請求の範囲】
【請求項１】
スペクトル割り当て方法であって、
第1の基地局によって、第2の基地局によって送信される第1のブロードキャスト情報の受信状況に基づき、前記第2の基地局の優先周波数帯の利用状況を決定するステップと、
前記第1の基地局によって、前記第2の基地局の優先周波数帯の利用状況に基づき、前記第2の基地局の優先周波数帯の前記第1の基地局による使用を決定するステップと、
前記第1の基地局によって、第3のブロードキャスト情報を送信するステップであって、前記第3のブロードキャスト情報が、前記第1の基地局による前記第2の基地局の優先周波数帯の利用情報を含む、ステップとを含む方法。
【請求項２】
前記第1の基地局によって、前記第2の基地局によって送信される前記第1のブロードキャスト情報の受信状況に基づき、前記第2の基地局の優先周波数帯の利用状況を決定するステップが、
前記第1の基地局が前記第2の基地局によって送信される前記第1のブロードキャスト情報を取得する場合に、前記第1の基地局によって、前記第2の基地局がデータ送信のための前記第2の基地局の優先周波数帯を使用することを決定するステップと、前記第1の基地局が前記第2の基地局によって送信される前記第1のブロードキャスト情報を取得しない場合に、前記第1の基地局によって、前記第2の基地局がデータ送信のための前記第2の基地局の優先周波数帯を使用しないことを決定するステップを含むか、または、
前記第1の基地局が前記第2の基地局によって送信される前記第1のブロードキャスト情報を取得しない場合に、前記第1の基地局によって、前記第2の基地局がデータ送信のための前記第2の基地局の優先周波数帯を使用することを決定するステップと、前記第1の基地局が前記第2の基地局によって送信される前記第1のブロードキャスト情報を取得する場合に、前記第1の基地局によって、前記第2の基地局がデータ送信のための前記第2の基地局の優先周波数帯を使用しないことを決定するステップとを含むか、または、
前記第1の基地局が前記第2の基地局によって送信される前記第1のブロードキャスト情報を取得し、かつ前記第1のブロードキャスト情報が前記第2の基地局の優先周波数帯の利用情報を含む場合に、前記第2の基地局の優先周波数帯の利用情報に基づき、前記第1の基地局によって、前記第2の基地局がデータ送信のための前記第2の基地局の優先周波数帯を使用する、または使用しないことを決定するステップとを含む、請求項1に記載の方法。
【請求項３】
前記第1の基地局によって、前記第2の基地局の優先周波数帯の利用状況に基づき、前記第2の基地局の優先周波数帯の前記第1の基地局による使用を決定するステップが、
前記第1の基地局が、前記第1のブロードキャスト情報に基づき、前記第2の基地局がデータ送信のための前記第2の基地局の優先周波数帯の一部を使用する、または使用しないことを決定する場合、前記第1の基地局により、前記第2の基地局の優先周波数帯の全てまたは一部でデータを送信することを決定するステップか、または、
前記第1の基地局が、前記第1のブロードキャスト情報に基づき、前記第2の基地局がデータ送信のための前記第2の基地局の優先周波数帯を使用することを決定する場合、前記第1の基地局によって、使用される前記第2の基地局の優先周波数帯の全てまたは一部から抜け出ることを決定するステップを含む、請求項1または2に記載の方法。
【請求項４】
前記第1の基地局によって、使用される前記第2の基地局の優先周波数帯の全てまたは一部から抜け出ることを決定するステップの後に、
前記第1の基地局によって第1の設定時間後に、使用される前記第2の基地局の優先周波数帯の全てまたは一部から抜け出すステップをさらに含む、請求項3に記載の方法。
【請求項５】
前記第1の基地局によって前記第2の基地局の優先周波数帯の全てまたは一部でデータ送信することを決定するステップの後、
前記第1の基地局によって、前記第1の基地局が属するエリア内の任意の基地局と同期するステップをさらに含む、請求項3または4に記載の方法。
【請求項６】
前記第1の基地局が属するエリア内の任意の基地局と前記第1の基地局を同期させるステップが、
前記第1の基地局によって、前記第1の基地局が属するエリア内の任意の基地局の同期チャネルおよび/または同期シーケンスに基づき、前記第1の基地局が属するエリア内の任意の基地局の同期情報を取得するステップを含み、前記同期チャネルおよび/または前記同期シーケンスが、前記第1の基地局が属するエリア内の公共周波数帯で送信されるか、または前記第1の基地局が属するエリア内の任意の基地局の優先周波数帯の一部で送信される、請求項5に記載の方法。
【請求項７】
前記第1の基地局によって、前記第1の基地局の優先周波数帯でデータを送信するステップをさらに含む、請求項1から6のいずれか一項に記載の方法。
【請求項８】
前記第1の基地局によって、前記第1の基地局の優先周波数帯でデータを送信するステップの前に、
前記第1の基地局によって、第3の基地局により送信される第2のブロードキャスト情報を取得するステップをさらに含み、前記第2のブロードキャスト情報が、前記第3の基地局による前記第1の基地局の優先周波数帯の利用情報を搬送し、
前記第1の基地局によって、前記第1の基地局の優先周波数帯でデータを送信するステップが、
前記第1の基地局が、前記第3の基地局による前記第1の基地局の優先周波数帯の利用情報に基づき、前記第3の基地局が前記第1の基地局の優先周波数帯でデータを送信することを決定する場合に、前記第1の基地局によって、第2の設定時間後に前記第1の基地局の優先周波数帯でデータを送信するステップを含む、請求項7に記載の方法。
【請求項９】
前記第2の基地局によって送信される前記第1のブロードキャスト情報が宣言チャネルで送信され、前記宣言チャネルが、前記第1の基地局が属するエリア内の公共周波数帯を占有する、または前記第2の基地局の優先周波数帯を占有する、
および/または、前記第1の基地局によって送信される前記第3のブロードキャスト情報が、前記宣言チャネルで送信され、前記宣言チャネルが、前記第1の基地局が属するエリア内の前記公共周波数帯を占有する、または前記第1の基地局の優先周波数帯を占有する、請求項1に記載の方法。
【請求項１０】
さらに前記第1のブロードキャスト情報が、前記第2の基地局によって使用される時分割複信(TDD)比率情報を含み、および/または、さらに前記第3のブロードキャスト情報が、前記第1の基地局によって使用されるTDD比率情報を含む、請求項1または9に記載の方法。
【請求項１１】
コンピュータに請求項1から10のいずれか一項に記載のステップを実行させるプログラム。
【請求項１２】
第2の基地局によって送信される第1のブロードキャスト情報の受信状況に基づき、前記第2の基地局の優先周波数帯の利用状況を決定するように構成される検出ユニットと、
前記第2の基地局の優先周波数帯の利用状況に基づき、前記第2の基地局の優先周波数帯の第1の基地局による使用を決定するように構成される決定ユニットと、
第3のブロードキャスト情報を送信するように構成される送信ユニットであって、前記第3のブロードキャスト情報が前記第1の基地局による前記第2の基地局の優先周波数帯の利用情報を含む、送信ユニットとを備える、第1の基地局。
【請求項１３】
前記検出ユニットが、
前記第2の基地局によって送信される前記第1のブロードキャスト情報が取得される場合に、前記第2の基地局が、データ送信のための前記第2の基地局の優先周波数帯を使用することを決定するとともに、前記第2の基地局によって送信される前記第1のブロードキャスト情報が取得されない場合に、前記第2の基地局が、データ送信のための前記第2の基地局の優先周波数帯を使用しないことを決定するか、または、
前記第2の基地局によって送信される前記第1のブロードキャスト情報が取得されない場合に、前記第2の基地局が、データ送信のための前記第2の基地局の優先周波数帯を使用することを決定するとともに、前記第2の基地局によって送信される前記第1のブロードキャスト情報が取得される場合に、前記第2の基地局が、データ送信のための前記第2の基地局の優先周波数帯を使用しないことを決定するか、または、
前記第2の基地局によって送信される前記第1のブロードキャスト情報が取得され、かつ前記第1のブロードキャスト情報が、前記第2の基地局の優先周波数帯の利用情報を含む場合に、前記第2の基地局の優先周波数帯の利用情報に基づき、前記第2の基地局がデータ送信のための前記第2の基地局の優先周波数帯を使用する、または使用しないことを決定するように構成される、請求項12に記載の第1の基地局。
【請求項１４】
前記決定ユニットは、
前記検出ユニットが、前記第1のブロードキャスト情報に基づき、前記第2の基地局がデータ送信のための前記第2の基地局の優先周波数帯の一部を使用する、または使用しないことを決定する場合に、前記第2の基地局の優先周波数帯の全てまたは一部でデータを送信することを決定するか、または、
前記検出ユニットが、前記第1のブロードキャスト情報に基づき、前記第2の基地局が、データ送信のための前記第2の基地局の優先周波数帯を使用することを決定する場合に、使用される前記第2の基地局の優先周波数帯の全てまたは一部から抜け出ることを決定するように構成される、請求項12または13に記載の第1の基地局。
【請求項１５】
前記決定ユニットが、使用される前記第2の基地局の優先周波数帯の全てまたは一部から抜け出ることを決定した後で、第1の設定時間後に、使用される前記第2の基地局の優先周波数帯の全てまたは一部から抜け出すように構成される第1の処理ユニットをさらに備える、請求項14に記載の第1の基地局。
【請求項１６】
前記決定ユニットが、前記第2の基地局の優先周波数帯の全てまたは一部でデータを送信することを決定した後に、前記第1の基地局が属するエリア内の任意の基地局と同期するように構成される第2の処理ユニットをさらに備える、請求項14または15に記載の第1の基地局。
【請求項１７】
前記第2の処理ユニットが、前記第1の基地局が属するエリア内の任意の基地局の同期チャネルおよび/または同期シーケンスに基づき、前記第1の基地局が属するエリア内の任意の基地局の同期情報を取得するように構成され、前記同期チャネルおよび/または前記同期シーケンスが、前記第1の基地局が属するエリア内の公共周波数帯で送信されるか、または前記第1の基地局が属するエリア内の任意の基地局の優先周波数帯の一部で送信される、請求項16に記載の第1の基地局。
【請求項１８】
前記第1の基地局の優先周波数帯でデータを送信するように構成される第3の処理ユニットをさらに備える、請求項12から17のいずれか一項に記載の第1の基地局。
【請求項１９】
さらに前記検出ユニットが、第3の基地局により送信される第2のブロードキャスト情報を取得するように構成され、前記第2のブロードキャスト情報が、前記第3の基地局による前記第1の基地局の優先周波数帯の利用情報を搬送し、
さらに前記決定ユニットが、前記第3の基地局による前記第1の基地局の優先周波数帯の利用情報に基づき、前記第3の基地局が前記第1の基地局の優先周波数帯でデータを送信することを決定するように構成され、
前記第3の処理ユニットが、前記第3の基地局が前記第1の基地局の優先周波数帯でデータを送信することを前記決定ユニットが決定した場合、第2の設定時間後に、前記第1の基地局の優先周波数帯でデータを送信するように構成される、請求項18に記載の第1の基地局。
【請求項２０】
前記第2の基地局によって送信される前記第1のブロードキャスト情報が宣言チャネルで送信され、前記宣言チャネルが、前記第1の基地局が属するエリア内の公共周波数帯を占有する、または前記第2の基地局の優先周波数帯を占有する、
および/または、前記送信ユニットによって送信される前記第3のブロードキャスト情報が前記宣言チャネルで送信され、前記宣言チャネルが、第1の基地局が属するエリア内の前記公共周波数帯を占有する、または前記第1の基地局の優先周波数帯を占有する、請求項12に記載の第1の基地局。
【請求項２１】
さらに前記第1のブロードキャスト情報が、前記第2の基地局によって使用される時分割複信TDD比率情報を含み、および/または、さらに前記第3のブロードキャスト情報が、前記第1の基地局によって使用されるTDD比率情報を含む、請求項12または20に記載の第1の基地局。
【発明の詳細な説明】
【技術分野】
【０００１】
本発明は通信技術の分野に関し、特に、スペクトル割り当て方法および装置に関する。
【背景技術】
【０００２】
スペクトル割り当てはワイヤレス通信の基盤であり、同じ地理的エリア内の複数のオペレータのデバイスは、相互干渉を削減するために、スペクトル割り当ての調整が必要である。
【０００３】
従来技術では、一時的にアイドル状態である、あるオペレータのデバイスに対する優先周波数帯資源は、他のオペレータのデバイスによって使用されてよい。一方で、周波数帯を有しているオペレータのデバイスがこの優先周波数帯を再利用する場合に生じる干渉を避けるために、他のオペレータのデバイスは、低電力でこの優先周波数帯を使用し、ユーザ装置にサービスを提供する必要がある。周波数帯を有しているオペレータのデバイスがこの優先周波数帯を再利用する場合、他のオペレータのデバイスは、一時的に使用した周波数帯資源を開放する必要がある。しかし、従来技術では、オペレータのデバイスにとって優先周波数帯資源のアイドル状態を十分に活用することができず、スペクトル資源利用率が低かった。
【発明の概要】
【課題を解決するための手段】
【０００４】
本発明は、スペクトル資源利用率を向上するためのスペクトル割り当て方法および装置を提供する。
【０００５】
一態様では、スペクトル割り当て方法が提供され、この方法は、
第1の基地局によって、少なくとも1つの第2の基地局によって送信される第1のブロードキャスト情報に基づき、少なくとも1つの第2の基地局の優先周波数帯の利用状況(usage)を決定するステップと、
第1の基地局によって、少なくとも1つの第2の基地局の優先周波数帯の利用状況に基づき、少なくとも1つの第2の基地局の優先周波数帯の第1の基地局による使用(use)を決定するステップとを含む。
【０００６】
上記の態様および任意の可能な実施方法を参照して、実施方法がさらに提供される。そこでは、第1の基地局によって、少なくとも1つの第2の基地局によって送信される第1のブロードキャスト情報に基づき、少なくとも1つの第2の基地局の優先周波数帯の利用状況を決定するステップが、第1の基地局が第2の基地局によって送信される第1のブロードキャスト情報を取得する場合に、第1の基地局によって、データ送信のための第2の基地局が第2の基地局の優先周波数帯を使用することを決定するステップと、第1の基地局が第2の基地局によって送信される第1のブロードキャスト情報を取得しない場合に、第1の基地局によって、第2の基地局がデータ送信のための第2の基地局の優先周波数帯を使用しないことを決定するステップとを含むか、または、第1の基地局が第2の基地局によって送信される第1のブロードキャスト情報を取得しない場合に、第1の基地局によって、第2の基地局がデータ送信のための第2の基地局の優先周波数帯を使用することを決定するステップと、第1の基地局が第2の基地局によって送信される第1のブロードキャスト情報を取得する場合に、第2の基地局が、データ送信のための第2の基地局の優先周波数帯を使用しないことを決定するステップとを含むか、または、第1のブロードキャスト情報が第2の基地局の優先周波数帯の利用情報を含む場合に、第1の基地局によって、第2の基地局の優先周波数帯の利用情報に基づき、第2の基地局が、データ送信のための第2の基地局の優先周波数帯を使用する/使用しないことを決定するステップを含む。
【０００７】
上記の態様および任意の可能な実施方法を参照して、実施方法がさらに提供される。そこでは、第1の基地局によって、少なくとも1つの第2の基地局の優先周波数帯の利用状況に基づき、少なくとも1つの第2の基地局の優先周波数帯の第1の基地局による使用を決定するステップが、
第2の基地局がデータ送信のための第2の基地局の優先周波数帯の一部を使用する、または使用しないことを、第1のブロードキャスト情報に基づき第1の基地局が決定する場合に、第1の基地局によって、第2の基地局の優先周波数帯の全てまたは一部でデータを送信することを決定するステップか、または、
第2の基地局がデータ送信のための第2の基地局の優先周波数帯を使用することを、第1のブロードキャスト情報に基づき第1の基地局が決定する場合に、第1の基地局によって、使用される第2の基地局の優先周波数帯の全てまたは一部から抜け出ることを決定するステップを含む。
【０００８】
上記の態様および任意の可能な実施方法を参照して、実施方法がさらに提供される。ここにおいて、第1の基地局によって、使用される第2の基地局の優先周波数帯の全てまたは一部から抜け出ることを決定するステップの後に、方法がさらに、第1の基地局によって、第1の設定時間後に、使用される第2の基地局の優先周波数帯の全てまたは一部から抜け出すステップをさらに含む。
【０００９】
上記の態様および任意の可能な実施方法を参照して、実施方法がさらに提供される。ここにおいて、第1の基地局によって、第2の基地局の優先周波数帯の全てまたは一部でデータを送信することを決定するステップの後に、方法は、第1の基地局が属するエリア内の任意の基地局と第1の基地局を同期させるステップをさらに含む。
【００１０】
上記の態様および任意の可能な実施方法を参照して、実施方法がさらに提供される。ここにおいて、第1の基地局が属するエリア内の任意の基地局と第1の基地局を同期させるステップが、第1の基地局によって、第1の基地局が属するエリア内の任意の基地局の同期チャネルおよび/または同期シーケンスに基づき、第1の基地局が属するエリア内の任意の基地局の同期情報を取得するステップを含み、同期チャネルおよび/または同期シーケンスが、第1の基地局が属するエリア内の公共周波数帯で送信されるか、または第1の基地局が属するエリア内の任意の基地局の優先周波数帯の一部で送信される。
【００１１】
上記の態様および任意の可能な実施方法を参照して、実施方法がさらに提供される。ここにおいて、方法は、第1の基地局によって、第1の基地局の優先周波数帯でデータを送信するステップをさらに含む。
【００１２】
上記の態様および任意の可能な実施方法を参照して、実施方法がさらに提供される。ここにおいて、第1の基地局によって、第1の基地局の優先周波数帯でデータを送信するステップの前に、方法は、第1の基地局によって、少なくとも1つの第3の基地局により送信される第2のブロードキャスト情報を取得するステップをさらに含み、第2のブロードキャスト情報は、第3の基地局による第1の基地局の優先周波数帯の利用情報を搬送する。
【００１３】
上記の態様および任意の可能な実施方法を参照して、実施方法がさらに提供される。ここにおいて、第1の基地局によって、第1の基地局の優先周波数帯でデータを送信するステップは、第3の基地局が第1の基地局の優先周波数帯でデータを送信することを、第3の基地局による第1の基地局の優先周波数帯の利用情報に基づき第1の基地局が決定する場合に、第1の基地局によって、第2の設定時間後に第1の基地局の優先周波数帯でデータを送信するステップを含む。
【００１４】
上記の態様および任意の可能な実施方法を参照して、実施方法がさらに提供される。ここにおいて、方法は、第1の基地局によって、第3のブロードキャスト情報を送信するステップをさらに含み、第3のブロードキャスト情報は、第1の基地局による第2の基地局の優先周波数帯の利用情報を含む。
【００１５】
上記の態様および任意の可能な実施方法を参照して、実施方法がさらに提供される。ここにおいて、第2の基地局によって送信される第1のブロードキャスト情報が、宣言チャネル(declaring channel)で送信され、宣言チャネルが、第1の基地局が属するエリア内の公共周波数帯を占有する、または第2の基地局の優先周波数帯を占有する、および／または、第1の基地局によって送信される第3のブロードキャスト情報が、宣言チャネルで送信され、宣言チャネルが、第1の基地局が属するエリア内の公共周波数帯を占有する、または第1の基地局の優先周波数帯を占有する、および/または、第3の基地局によって送信される第2のブロードキャスト情報が宣言チャネルで送信され、宣言チャネルが、第1の基地局が属するエリア内の公共周波数帯を占有するか、または第3の基地局の優先周波数帯を占有する。
【００１６】
上記の態様および任意の可能な実施方法を参照して、実施方法がさらに提供される。ここにおいて、宣言チャネルが、第1の基地局が属するエリア内の公共周波数帯を占有する場合、少なくとも1つの第2の基地局によって送信される第1のブロードキャスト情報および/または第1の基地局によって送信される第3のブロードキャスト情報および/または第3の基地局によって送信される第2のブロードキャスト情報が、時間分割法、周波数分割法、符号分割法、または空間分割法の任意の1または2以上の組み合わせられた方法で直交性を実現する。
【００１７】
上記の態様および任意の可能な実施方法を参照して、実施方法がさらに提供される。ここにおいて、第1のブロードキャスト情報は、第2の基地局によって使用される時分割複信TDD比率情報をさらに含む、および/または、第3のブロードキャスト情報は、第1の基地局によって使用されるTDD比率情報をさらに含む、および/または、第2のブロードキャスト情報は、第3の基地局によって使用されるTDD比率情報をさらに含む。
【００１８】
その他の態様において、基地局がさらに提供される。第1の基地局は、
少なくとも1つの第2の基地局によって送信される第1のブロードキャスト情報を取得するように構成される受信ユニットと、
第1のブロードキャスト情報に基づき、少なくとも1つの第2の基地局の優先周波数帯の利用状況することを決定するとともに、少なくとも1つの第2の基地局の優先周波数帯の利用状況に基づき、少なくとも1つの第2の基地局の優先周波数帯の第1の基地局による使用を決定するように構成される、プロセッサとを備える。
【００１９】
上記の態様および任意の可能な実施方法を参照して、実施方法がさらに提供される。ここにおいて、具体的にプロセッサは、受信ユニットが、第2の基地局によって送信される第1のブロードキャスト情報を取得する場合では、第2の基地局が、データ送信のための第2の基地局の優先周波数帯を使用することを決定するとともに、受信ユニットが、第2の基地局によって送信される第1のブロードキャスト情報を取得しない場合では、第2の基地局が、データ送信のための第2の基地局の優先周波数帯を使用することを決定するか、または、受信ユニットが、第2の基地局によって送信される第1のブロードキャスト情報を取得しない場合では、第2の基地局が、データ送信のための第2の基地局の優先周波数帯を使用することを決定するとともに、受信ユニットが、第2の基地局によって送信される第1のブロードキャスト情報を取得する場合では、第2の基地局が、データ送信のための第2の基地局の優先周波数帯を使用しないことを決定するか、または、受信ユニットによって取得される第1のブロードキャスト情報が、第2の基地局の優先周波数帯の利用情報を含む場合に、第2の基地局が、データ送信のための第2の基地局の優先周波数帯を使用する/使用しないことを、第2の基地局の優先周波数帯の利用情報に基づき決定するように構成される。
【００２０】
上記の態様および任意の可能な実施方法を参照して、実施方法がさらに提供される。ここにおいて、具体的にプロセッサは、第2の基地局が、データ送信のための第2の基地局の優先周波数帯の一部を使用する、または使用しないことが、第1のブロードキャスト情報に基づき決定される場合に、第2の基地局の優先周波数帯の全てまたは一部でデータを送信することを決定するか、または、第2の基地局が、データ送信のための第2の基地局の優先周波数帯を使用することが、第1のブロードキャスト情報に基づき決定される場合に、使用される第2の基地局の優先周波数帯の全てまたは一部から抜け出ることを決定するように構成される。
【００２１】
上記の態様および任意の可能な実施方法を参照して、実施方法がさらに提供される。ここにおいて、さらにプロセッサが、第1の設定時間後に、使用される第2の基地局の優先周波数帯の全てまたは一部から抜け出すように構成される。
【００２２】
上記の態様および任意の可能な実施方法を参照して、実施方法がさらに提供される。ここにおいて、さらにプロセッサが、この基地局が属するエリア内の任意の基地局と同期するように構成される。
【００２３】
上記の態様および任意の可能な実施方法を参照して、実施方法がさらに提供される。ここにおいて、具体的にプロセッサが、この基地局が属するエリア内の任意の基地局の同期チャネルおよび/または同期シーケンスに基づき、この基地局が属するエリア内の任意の基地局の同期情報を取得するように構成され、同期チャネルおよび/または同期シーケンスが、この基地局が属するエリア内の公共周波数帯で送信されるか、またはこの基地局が属するエリア内の任意の基地局の優先周波数帯の一部で送信される。
【００２４】
上記の態様および任意の可能な実施方法を参照して、実施方法がさらに提供される。ここにおいて、さらにプロセッサが、第1の基地局の優先周波数帯でデータを送信するように構成される。
【００２５】
上記の態様および任意の可能な実施方法を参照して、実施方法がさらに提供される。ここにおいて、さらに受信ユニットが、少なくとも1つの第3の基地局により送信される第2のブロードキャスト情報を取得するように構成され、第2のブロードキャスト情報は、第3の基地局による第1の基地局の優先周波数帯の利用情報を搬送する。
【００２６】
上記の基地局では、さらにプロセッサは、第3の基地局がこの基地局の優先周波数帯でデータを送信することが、第3の基地局による第1の基地局の優先周波数帯の利用情報に基づき決定される場合、第2の設定時間後に、この基地局の優先周波数帯でデータを送信するように構成される。
【００２７】
上記の態様および任意の可能な実施方法を参照して、実施方法がさらに提供される。ここにおいて、さらにこの基地局が、
第3のブロードキャスト情報を送信するように構成される送信ユニットをさらに備え、第3のブロードキャスト情報が、この基地局による第2の基地局の優先周波数帯の利用情報を含む。
【００２８】
上記の態様および任意の可能な実施方法を参照して、実施方法がさらに提供される。ここにおいて、第2の基地局によって送信される第1のブロードキャスト情報が宣言チャネルで送信され、宣言チャネルがこの基地局が属するエリア内の公共周波数帯を占有する、または第2の基地局の優先周波数帯を占有する、および/または、送信ユニットによって送信される第3のブロードキャスト情報が宣言チャネルで送信され、宣言チャネルがこの基地局が属するエリア内の公共周波数帯を占有する、またはこの基地局の優先周波数帯を占有する、および/または、第3の基地局によって送信される第2のブロードキャスト情報が宣言チャネルで送信され、宣言チャネルがこの基地局が属するエリア内の公共周波数帯を占有する、または第3の基地局の優先周波数帯を占有する。
【００２９】
上記の態様および任意の可能な実施方法を参照して、実施方法がさらに提供される。ここにおいて、宣言チャネルがこの基地局が属するエリア内の公共周波数帯を占有する場合、少なくとも1つの第2の基地局によって送信される第1のブロードキャスト情報および/または送信ユニットによって送信される第3のブロードキャスト情報および/または第3の基地局によって送信される第2のブロードキャスト情報が、時間分割法、周波数分割法、符号分割法、または空間分割法の任意の1または2以上の組み合わされた方法で直交性を実現する。
【００３０】
上記の態様および任意の可能な実施方法を参照して、実施方法がさらに提供される。ここにおいて、さらに第1のブロードキャスト情報が、第2の基地局によって使用される時分割複信TDD比率情報を含む、および/または、さらに第3のブロードキャスト情報が、この基地局により使用されるTDD比率情報を含む、および/または、さらに第2のブロードキャスト情報が第3の基地局によって使用されるTDD比率情報を含む。
【００３１】
その他の態様において、さらに基地局が提供される。第1の基地局は、
少なくとも1つの第2の基地局によって送信される第1のブロードキャスト情報に基づき、少なくとも1つの第2の基地局の優先周波数帯の利用状況を決定するように構成される、検出ユニットと、
少なくとも1つの第2の基地局の優先周波数帯の利用状況に基づき、少なくとも1つの第2の基地局の優先周波数帯の第1の基地局による使用を決定するように構成される、決定ユニットとを備える。
【００３２】
上記の態様および任意の可能な実施方法を参照して、実施方法がさらに提供される。ここにおいて、具体的に検出ユニットは、第2の基地局によって送信される第1のブロードキャスト情報が取得される場合では、第2の基地局が、データ送信のための第2の基地局の優先周波数帯を使用することを決定するとともに、第2の基地局によって送信される第1のブロードキャスト情報が取得されない場合では、第2の基地局が、データ送信のための第2の基地局の優先周波数帯を使用しないことを決定するか、または、第2の基地局によって送信される第1のブロードキャスト情報が取得されない場合では、第2の基地局が、データ送信のための第2の基地局の優先周波数帯を使用することを決定するとともに、第2の基地局によって送信される第1のブロードキャスト情報が取得される場合では、第2の基地局が、データ送信のための第2の基地局の優先周波数帯を使用しないことを決定するか、または、第1のブロードキャスト情報が第2の基地局の優先周波数帯の利用情報を含む場合に、第2の基地局が、データ送信のための第2の基地局の優先周波数帯を使用する/使用しないことを、第2の基地局の優先周波数帯の利用情報に基づき、決定するように構成される。
【００３３】
上記の態様および任意の可能な実施方法を参照して、実施方法がさらに提供される。ここにおいて、具体的に決定ユニットは、第2の基地局がデータ送信のための第2の基地局の優先周波数帯の一部を使用する、または使用しないことを、第1のブロードキャスト情報に基づき検出ユニットが決定する場合に、第2の基地局の優先周波数帯の全てまたは一部でデータを送信するか、または、第2の基地局がデータ送信のための第2の基地局の優先周波数帯を使用することを、第1のブロードキャスト情報に基づき検出ユニットが決定する場合に、使用される第2の基地局の優先周波数帯の全てまたは一部から抜け出ることを決定するように構成される。
【００３４】
上記の態様および任意の可能な実施方法を参照して、実施方法がさらに提供される。ここにおいて、さらにこの基地局は、決定ユニットが、使用される第2の基地局の優先周波数帯の全てまたは一部から抜け出ることを決定した後、第1の設定時間後に、使用される第2の基地局の優先周波数帯の全てまたは一部から抜け出るように構成される第1の処理ユニットを備える。
【００３５】
上記の態様および任意の可能な実施方法を参照して、実施方法がさらに提供される。ここにおいて、さらにこの基地局は、決定ユニットが、第2の基地局の優先周波数帯の全てまたは一部でデータを送信することを決定した後に、この基地局が属するエリア内の任意の基地局と同期するように構成される、第2の処理ユニットを含む。
【００３６】
上記の態様および任意の可能な実施方法を参照して、実施方法がさらに提供される。ここにおいて、具体的に第2の処理ユニットは、この基地局が属するエリア内の任意の基地局の同期チャネルおよび/または同期シーケンスに基づき、この基地局が属するエリア内の任意の基地局の同期情報を取得するように構成され、同期チャネルおよび/または同期シーケンスが、この基地局が属するエリア内の公共周波数帯で送信されるか、この基地局が属するエリア内の任意の基地局の優先周波数帯の一部で送信される。
【００３７】
上記の態様および任意の可能な実施方法を参照して、実施方法がさらに提供される。ここにおいて、さらにこの基地局が、この基地局の優先周波数帯でデータを送信するように構成される第3の処理ユニットを備える。
【００３８】
上記の態様および任意の可能な実施方法を参照して、実施方法がさらに提供される。ここにおいて、さらに検出ユニットが、少なくとも1つの第3の基地局により送信される第2のブロードキャスト情報を取得するように構成され、第2のブロードキャスト情報は、第3の基地局による第1の基地局の優先周波数帯の利用情報を搬送する。
【００３９】
上記の態様および任意の可能な実施方法を参照して、実施方法がさらに提供される。ここにおいて、さらに決定ユニットは、第3の基地局がこの基地局の優先周波数帯でデータを送信することを、第3の基地局によるこの基地局の優先周波数帯の利用情報に基づき、決定するように構成され、具体的に第3の処理ユニットは、決定ユニットが第3の基地局がこの基地局の優先周波数帯でデータを送信することを決定する場合に、第2の設定時間後に、この基地局の優先周波数帯でデータを送信するように構成される。
【００４０】
上記の態様および任意の可能な実施方法を参照して、実施方法がさらに提供される。ここにおいて、さらにこの基地局が、第3のブロードキャスト情報を送信するように構成される送信ユニットを備え、第3のブロードキャスト情報は、第1の基地局による第2の基地局の優先周波数帯の利用情報を含む。
【００４１】
上記の態様および任意の可能な実施方法を参照して、実施方法がさらに提供される。ここにおいて、第2の基地局によって送信される第1のブロードキャスト情報が宣言チャネルで送信され、宣言チャネルがこの基地局が属するエリア内の公共周波数帯を占有する、または第2の基地局の優先周波数帯を占有する、および/または、
送信ユニットによって送信される第3のブロードキャスト情報が宣言チャネルで送信され、宣言チャネルがこの基地局が属するエリア内の公共周波数帯を占有する、またはこの基地局の優先周波数帯を占有する、および/または、
第3の基地局によって送信される第2のブロードキャスト情報が宣言チャネルで送信され、宣言チャネルがこの基地局が属するエリア内の公共周波数帯を占有する、または第3の基地局の優先周波数帯を占有する。
【００４２】
上記の態様および任意の可能な実施方法を参照して、実施方法がさらに提供される。ここにおいて、宣言チャネルが基地局が属するエリア内の公共周波数帯を占有する場合、少なくとも1つの第2の基地局によって送信される第1のブロードキャスト情報、および/または、送信ユニットによって送信される第3のブロードキャスト情報、および/または、第3の基地局によって送信される第2のブロードキャスト情報が、時間分割法、周波数分割法、符号分割法、または空間分割法の任意の1または2以上の組み合わされた方法で直交性を実現する。
【００４３】
上記の態様および任意の可能な実施方法を参照して、実施方法がさらに提供される。ここにおいて、さらに第1のブロードキャスト情報が、第2の基地局によって使用される時分割複信TDD比率情報を含む、および/または、さらに第3のブロードキャスト情報が、第1の基地局によって使用されるTDD比率情報を含む、および/または、さらに第2のブロードキャスト情報が、第3の基地局によって使用されるTDD比率情報を含む。
【００４４】
本発明によって提供されるスペクトル割り当て方法および装置では、基地局は、他の基地局によって発行されるブロードキャスト情報を用いることにより、他の基地局の優先周波数帯の利用状況を決定し、他の基地局の優先周波数帯の使用を決定し、その結果、スペクトル資源利用率を改善することが可能である。
【００４５】
より明確に、本発明の実施形態または従来技術での技術的解決方法を説明するために、実施形態または従来技術を説明するのに必要な添付の図面が以下で簡潔に説明される。明らかなように、以下の説明における添付の図面は単に本発明のいくつかの実施形態を示すのみである。当業者であれば、創作的努力を必要とせずにこれらの添付の図面からその他の図面を導くことがやはり可能である。
【図面の簡単な説明】
【００４６】
【図１】本発明によって提供されるスペクトル割り当て方法の実施形態のフローチャートである。
【図２】本発明によって提供される各基地局の、優先周波数帯および公共周波数帯の割り当て図である。
【図３】本発明によって提供されるスペクトル割り当て方法の他の実施形態のフローチャートである。
【図４】本発明によって提供されるスペクトル割り当て方法のさらなる他の実施形態のフローチャートである。
【図５】本発明によって提供される基地局の実施形態の概略的構成図である。
【図６】本発明によって提供される基地局の他の実施形態の概略的構成図である。
【図７】本発明によって提供される基地局の他の実施形態の概略的構成図である。
【図８】本発明によって提供される基地局の他の実施形態の概略的構成図である。
【発明を実施するための形態】
【００４７】
以下では、本発明の実施形態の添付の図面を参照して、本発明の実施形態での技術的解決方法が明確かつ十分に説明される。明らかなように、説明される実施形態は、本発明の実施形態の全てではなく、その一部のみである。本発明の実施形態に基づき当業者によって創作的努力を要さずに得られるその他の実施形態の全ては、本発明の保護範囲に入るものである。
【００４８】
本明細書で説明される技術は、例えば、現行の2G、3G通信システムおよび次世代通信システムのような種々の通信システムで使用される。次世代システムとは、例えば、GSM(登録商標)(Global System for Mobile Communications)、符号分割多元接続(CDMA, Code Division Multiple Access)システム、時分割多元接続(TDMA, Time Division Multiple Access)システム、WCDMA(登録商標)(Wideband Code Division Multiple Access)システム、周波数分割多元接続(FDMA, Frequency Division Multiple Access)システム、直交周波数分割多元接続(OFDMA, Orthogonal Frequency-Division Multiple)システム、シングルキャリアFDMA(SC-FDMA)システム、GPRS(General Packet Radio Service)システム、LTE(Long Term Evolution)システム、および、このような種類のその他の通信システムである。
【００４９】
本発明の実施形態に関わる第1の基地局および第2の基地局はともに、無線インターフェース上の1または2以上のセクタを介してワイヤレス端末と通信する、アクセスネットワーク内のデバイスを指し得る。第1の基地局および第2の基地局は、ワイヤレス端末とアクセスネットワークの残りの部分との間のルータとして使用できるように、受信される無線フレームおよびIPパケット上で相互変換を行うように構成され得る。ここで、アクセスネットワークの残りの部分は、インターネットプロトコル(IP)ネットワークを含んでよい。第1の基地局および第2の基地局は、無線インターフェースの属性管理の調整を行うこともできる。例えば、基地局は、GSM(登録商標)またはCDMAでの基地局(BTS, Base Transceiver Station)であってもよいし、WCDMA(登録商標)での基地局(NodeB)であってもよいし、LTEでの進化基地局(NodeB、eNB、またはe-NodeB, evolutional Node B)であってもよく、本願ではそれらを限定しない。
【００５０】
加えて、本明細書における語句「システム」および「ネットワーク」は、一般的に相互交換可能に使用される。本明細書での語句「および/または」は、関連する対象を説明するための関連性の関係のみを示し、3つの関係が存在することを示し得る。例えば、Aおよび/またはBは、Aのみが存在する場合、AおよびBが同時に存在する場合、およびBのみが存在する場合を示し得る。加えて、記号「/」は、関連する対象の前者および後者が「または」の関係にあることを一般的に示す。
【００５１】
図1は、本発明によって提供されるスペクトル割り当て方法の実施形態のフローチャートである。図1に示されるように、この方法は以下を含む。
【００５２】
S101:第1の基地局が、少なくとも1つの第2の基地局によって送信される第1のブロードキャスト情報に基づき、少なくとも1つの第2の基地局の優先周波数帯の利用状況(usage)を決定する。
【００５３】
S102:第1の基地局は、少なくとも1つの第2の基地局の優先周波数帯の利用状況に基づき、少なくとも1つの第2の基地局の優先周波数帯の第1の基地局による使用(use)を決定する。
【００５４】
本発明の実施形態では、第1の基地局および各第2の基地局は、異なるオペレータに属する。各基地局は、ブロードキャストメッセージを送信することによって、自身の優先周波数帯の利用状況を示すことができる。この実施形態では、第2の基地局によって送信されるブロードキャストメッセージは、第1のブロードキャストメッセージである。
【００５５】
資源割り当ておよび管理機能を有する機構またはエンティティ、例えば、無線コミッティ(radio committee)およびモビリティ管理エンティティ(MME)などのデバイスは、あるエリアにおいて割り当てられるべき周波数帯資源で各オペレータに、重なりのない優先周波数帯を割り当てることができる。図2に示されるように、基地局A、基地局B、および基地局Cは、異なるオペレータに属し、各基地局によって占有される周波数帯資源は、それぞれ優先周波数帯を示す。
【００５６】
適した実施法として、資源割り当ておよび管理機能を有する機構またはエンティティは、図2で示される公共周波数帯Nのような、割り当てられるべき周波数帯資源内の公共周波数帯を、分割することで、設定および取得することもできる。公共周波数帯は、ブロードキャスト情報を送信するために、各基地局によって使用される宣言チャネル(declaring channel)を担うために使用され得る。宣言チャネルは、複数のオペレータの基地局によって使用され、例えば、第2の基地局によって送信される第1のブロードキャスト情報であるそれぞれのブロードキャスト情報を干渉なしに発行することができる。
【００５７】
選択的に、宣言チャネルにおいて、複数のオペレータの基地局により送信されるブロードキャスト情報、例えば、複数の第2の基地局により送信される第1のブロードキャスト情報は、時分割多重化、周波数分割多重化、符号分割多重化、または空間多重化などの方法で直交性を実現してもよいし、前記の方法の組み合わせで直交性を実現してもよいし、その他の多重化の方法で直交性を実現してもよく、その結果、各オペレータの基地局のブロードキャスト情報が干渉なしに宣言チャネル上で送信されることを実現する。
【００５８】
他の適した実施法として、資源割り当ておよび管理機能を有する機構またはエンティティは、各オペレータに割り当てられる優先周波数帯を分割することにより、宣言チャネルの送信のための資源の一部も取得することができる。つまり、各オペレータの基地局は、ブロードキャスト情報を送信するための宣言チャネルとして、自身の優先周波数帯の一部を使用することができる。例えば、第2の基地局は、第1のブロードキャスト情報を送信するための宣言チャネルとして自身の優先周波数帯の一部を使用してよい。
【００５９】
異なるオペレータの基地局によって宣言チャネル上で送信されるブロードキャスト情報、例えば、各第2の基地局によって送信される第1のブロードキャスト情報に対して、隣接する周波数帯の時分割複信(Time Division Duplex, TDD)システムが干渉を発生することを防ぐために、第1のブロードキャスト情報が、TDDシステムでの固定されたダウンリンクサブフレームが位置するサブフレームを採用することで送信される、例えば、0、1、5、および6サブフレーム内の1または2以上のサブフレームにおいて送信されてよいこと、および、異なるオペレータの基地局が短時間で第1のブロードキャスト情報を検出することを容易にするために、第1のブロードキャスト情報は、比較的大きな送信電力を採用することによって送信されてよいことに留意されたい。
【００６０】
選択的に、第1のブロードキャスト情報は、周期的に送信されてもよいし、または、第2の基地局の優先周波数帯の利用状況が変化したときに送信されてもよいし、または、第2の基地局による他の基地局の優先周波数帯の利用状況が変化するシナリオのもとで送信されてもよい。
【００６１】
対応して、第1の基地局は、第2の基地局によって送信される第1のブロードキャスト情報を周期的に取得し得る。第2の基地局による第1のブロードキャスト情報の送信の周期、および第1の基地局による第1のブロードキャスト情報の取得の周期は、資源割り当ておよび管理機能を有する機構またはエンティティによって設定されてよい。
【００６２】
本発明の実施形態では、第1の基地局は、宣言チャネルで少なくとも1つの第2の基地局によって送信される第1のブロードキャスト情報を読み込むことができる。適した実施法として、第1の基地局は、少なくとも1つの第2の基地局の第1のブロードキャスト情報によって占有される資源を、所定の方法で事前に取得してもよい。つまり、各オペレータの基地局は、他のオペレータの基地局により宣言チャネル上で発行されたブロードキャスト情報により占有される資源を、構成情報を使用することにより、事前に取得することができる。ブロードキャスト情報により占有された資源は、時間資源、周波数資源、符号語資源、および空間資源のうちの1つもしくは任意の組み合わせか、または、その他の直交化資源であってよく、ここでは限定しない。第1の基地局は、宣言チャネルの異なる資源で、少なくとも1つの第2の基地局によって送信される第1のブロードキャスト情報を読み込むことができる。他の適した実施法として、第1の基地局は、宣言チャネル上のブラインド検出の方法で、少なくとも1つの第2の基地局により送信されるブロードキャスト情報を取得することもできる。
【００６３】
選択的に、ある第2の基地局が第1のブロードキャスト情報を送信しない場合に、それは、自身の優先周波数帯を使用しないことを示すために用いられてもよい。この実施のシナリオでは、第1の基地局が第2の基地局によって送信される第1のブロードキャスト情報を取得する場合に、第1の基地局は、第2の基地局がデータ送信のための第2の基地局の優先周波数帯を使用すること(全てまたは一部が既に使用されていること、または全てまたは一部がこれから使用されることを示し得る)を決定してよい。対照的に、第1の基地局が第2の基地局によって送信される第1のブロードキャスト情報を取得しない場合に、第1の基地局は、第2の基地局がデータ送信のための第2の基地局の優先周波数帯を使用しないことを決定してよい。
【００６４】
選択的に、ある第2の基地局が第1のブロードキャスト情報を送信する場合に、第2の基地局が自身の優先周波数帯を使用しないことを示すために用いられてもよい。この実施のシナリオでは、第1の基地局が第2の基地局によって送信される第1のブロードキャスト情報を取得しない場合に、第1の基地局は、第2の基地局がデータ送信のための第2の基地局の優先周波数帯を使用すること(全てまたは一部が既に使用されていること、または全てまたは一部がこれから使用されることを示し得る)を決定してよく、また、第1の基地局が第2の基地局によって送信される第1のブロードキャスト情報を取得する場合に、第1の基地局は、第2の基地局がデータ送信のための第2の基地局の優先周波数帯を使用しないことを決定してよい。
【００６５】
選択的に、第2の基地局が自身の優先周波数帯を使用するか否かに関わらず、第2の基地局は、第1のブロードキャスト情報を送信してもよい。ここで、第1のブロードキャスト情報は、第2の基地局の優先周波数帯の利用情報を搬送してよく、優先周波数帯の利用情報は、第2の基地局が優先周波数帯を使用するか否かの情報、および第2の基地局の優先周波数帯の使用率等の情報を含むことができる。この実施のシナリオでは、第1の基地局は、第2の基地局がデータ送信のための第2の基地局の優先周波数帯を使用する/使用しないことを、優先周波数帯の利用情報に基づき決定することができる。
【００６６】
さらに、第1の基地局は、少なくとも1つの第2の基地局の優先周波数帯の第1の基地局による使用を、少なくとも1つの第2の基地局の優先周波数帯の利用状況に基づき、決定することができる。
【００６７】
ある実施のシナリオでは、第1の基地局はデータを送信する必要がある。例えば、オペレータが第1の基地局の配置を準備するシナリオでは、第2の基地局がデータ送信のための第2の基地局の優先周波数帯の一部を使用する、または使用しないことを、第1のブロードキャスト情報に基づき第1の基地局が決定する場合に、第1の基地局は、第2の基地局の優先周波数帯の全てまたは一部で、データを送信する。第1の基地局は、ある第2の基地局がこのある第2の基地局の優先周波数帯を使用するか否かを、第1のブロードキャスト情報に基づき直接決定し、これにより、第1の基地局が、第1の基地局の優先周波数帯を使用する電力と同等またはそれに近い電力を使用し、その結果、第2の基地局の優先周波数帯をすべて使用することによって、第2の基地局の優先周波数帯を使用することが可能になることに留意されたい。
【００６８】
他の実施のシナリオでは、第1の基地局が、ある第2の基地局の優先周波数帯をすでに使用している場合に、第1の基地局は、第2の基地局がデータ送信のための第2の基地局の優先周波数帯を使用することを、第1のブロードキャスト情報に基づき決定し、第1の基地局は、使用される第2の基地局の優先周波数帯の全てまたは一部から抜け出ることができる。ここでの本明細書における「抜け出る」とは、第1の基地局が、使用される第2の基地局の優先周波数帯の全てまたは一部を解放することであってよい。
【００６９】
第1の基地局が、少なくとも1つの第2の基地局の優先周波数帯の第1の基地局による使用を、少なくとも1つの第2の基地局の優先周波数帯の利用状況に基づき決定した後、第1の基地局は第3のブロードキャスト情報を送信し得る。第3のブロードキャスト情報は、第1の基地局による第2の基地局の優先周波数帯の利用情報を含む。例えば、第1の基地局が第2の基地局の優先周波数帯の全てまたは一部でデータを送信するシナリオでは、第3のブロードキャスト情報は、第1の基地局が第2の基地局の優先周波数帯を使用するという情報を搬送し得る。例えば、第1の基地局が、使用される第2の基地局の優先周波数帯の全てまたは一部から抜け出るシナリオでは、第3のブロードキャスト情報は、第1の基地局が第2の基地局の優先周波数帯を使用しないという情報を搬送し得る。
【００７０】
第2の基地局によって送信される第1のブロードキャスト情報と同様に、第3のブロードキャスト情報は、公共周波数帯を占有する宣言チャネルで送信されてもよいし、第1の基地局の優先周波数帯の一部を占有する宣言チャネルにおいて送信されてよい。選択的に、第3のブロードキャスト情報は、周期的に送信されてもよいし、第1の基地局の優先周波数帯の利用状況が変化するときに送信されてもよいし、第1の基地局による他の基地局の優先周波数帯の利用状況が変化するシナリオにおいて送信されてもよい。第1の基地局による第3のブロードキャスト情報の送信の周期は、資源割り当ておよび管理機能を有する機構またはエンティティによって設定されてよい。
【００７１】
各基地局によって送信されるブロードキャスト情報、例えば、各第2の基地局によって送信される第1のブロードキャスト情報または第1の基地局によって送信される第3のブロードキャスト情報は、各基地局に割り当てられる優先周波数帯の基礎情報、および各基地局に割り当てられる優先周波数帯の使用率等の情報をさらに含んでもよい。加えて、ブロードキャスト情報は、基地局の基礎情報をさらに含んでもよい。基地局の基礎情報は、限定はしないが、基地局によって使用される周波数帯、帯域幅、フレーム番号、採用されたTDD比率、オペレータの基地局のサービスロード情報(service load information)、ユーザに提供するサービスの種類(限定しないが、音声サービスおよびデータサービスを含む)、サービスレベル、および、既存の基地局から送信されるその他のシステム情報、例えば、既存のシステム内のマスタ情報ブロック(MIB)、およびシステム情報ブロック(SIB)によって搬送される情報を含む。例えば、第1のブロードキャスト情報がさらに第2の基地局によって使用される時分割複信TDD比率情報を含んでよく、また第3のブロードキャスト情報がさらに第1の基地局によって使用されるTDD比率情報を含んでよい。
【００７２】
加えて、本発明の実施形態に関する第1のブロードキャスト情報および第3のブロードキャスト情報は、異なるオペレータの基地局によって取得されるだけではなく、異なるオペレータの基地局によってサービスを提供されるユーザ装置によって取得されてもよく、また、異なるオペレータによって直接取得されてもよい。例えば、ユーザ装置は、サービング基地局および他のオペレータの基地局によって送信されるブロードキャスト情報を宣言チャネルでの検出により取得し、ここでは限定しないが、ユーザ装置を補助し前もってハンドオーバを実行する、または、異なるオペレータによってサービスを提供されるユーザ装置間の干渉の調整を行う、または、ユーザ装置がその他の態様の動作を実行することを補助することができる。
【００７３】
異なるオペレータの基地局がユーザ装置にサービスの提供をよりよく行えるように、異なるオペレータの基地局は、宣言チャネルを介して調整相互作用動作(coordination interaction operation)を行うこともできることに留意されたい。例えば、ある地理的エリアでは、異なるオペレータの基地局によりサービスを提供されるユーザ装置は、異なる特徴を持ち得る。例えば、オペレータAの基地局によりサービスを提供されるユーザ装置は、ダウンリンクサービスで比較的大きな要求を有しており、これは、サービス基地局が基本構成としてより多くのダウンリンクサブフレームを有するTDD比率を選択することを要求する。また例えば、オペレータBの基地局によってサービスを提供されるユーザ装置は、アップリンクサービス上で比較的大きな要求を有しており、これは、サービング基地局が基本構成としてより多くのアップリンクサブフレームを有するTDD比率を選択することを要求する。一方で、オペレータAの優先周波数帯およびオペレータBの優先周波数帯が、接近する場合、または、オペレータAもしくはBが他方の優先周波数帯の一部を使用する場合、同じ周波数帯または隣接する周波数帯において異なるオペレータの起こり得る相互干渉を防ぐために、2つのTDD比率は基本的に同じである必要がある。従って、2つのTDD比率が基本的に同じになるように、オペレータAの基地局およびオペレータBの基地局は、宣言チャネルを介して調整を行うことができる。例えば、オペレータAの基地局またはオペレータBの基地局は、宣言チャネル上でブロードキャストメッセージを発行することができ、これにより、構成されたTDD比率が変更されるか否か、または変更される必要があるか否かを、他のオペレータの基地局が、自身のサービスロード状況に基づき決定でき、その結果、他のオペレータの要求を満たすとともに異なるオペレータのデバイス間の干渉を可能な限り小さくすることができる。この実施のシナリオでは、基地局によって送信されるブロードキャスト情報は、事前に採用されたTDD比率、ユーザ装置のサービスの種類、およびユーザ装置のサービスレベルを含んでもよく、他のオペレータが構成されたTDD比率を変更することができない場合は、オペレータAの基地局またはオペレータBの基地局は、ブロードキャスト情報を取得することで状況を取得することができ、その結果、自身のTDD比率をさらに調整することができ、異なるオペレータのデバイス間の干渉を可能な限り小さくすることができる。上記の手順は、同じ地理的エリアに2以上の異なるオペレータの基地局が存在する場合にも適用可能である。
【００７４】
第1の基地局がデータを送信する必要がある場合に第1の基地局は、通常通り、データ送信のための自身の優先周波数帯を優先的に使用するとともに、第1の基地局は、他の基地局により送信されるブロードキャスト情報により、他の基地局がデータ送信のための第1の基地局の優先周波数帯を使用するか否かを取得することもできることに留意されたい。つまり、第1の基地局は、少なくとも1つの第3の基地局により送信される第2のブロードキャスト情報を取得することができる。ここで、第2のブロードキャスト情報は、第3の基地局による第1の基地局の優先周波数帯の利用情報を搬送する。第3の基地局は、第1のブロードキャスト情報を送信する第2の基地局であってもよいし、また、第1の基地局が属するエリア内の他の基地局であってもよい。第1の基地局が、第3の基地局によって送信される第2のブロードキャスト情報を使用することによって、第3の基地局がデータ送信のための第1の基地局の優先周波数帯を使用することを決定する場合に、第1の基地局は、第2の設定時間後にデータ送信のための自身の優先周波数帯を使用し得る。
【００７５】
さらに、第1の基地局は第3のブロードキャスト情報を送信する、または送信しないことで、第1の基地局による第1の基地局の優先周波数帯の利用情報を知らせることができ、これにより、第3の基地局が、使用される第1の基地局の優先周波数帯の全てまたは一部から設定時間後に抜け出すことができ、その結果、第1の基地局と第3の基地局との間の相互干渉を防ぐことができる。
【００７６】
第2のブロードキャスト情報は、公共周波数帯を占有する宣言チャネルにおいて送信されてもよいし、または第3の基地局の優先周波数帯の一部を占有する宣言チャネルにおいて送信されてもよい。選択的に、第2のブロードキャスト情報は、周期的に送信されてもよいし、または第3の基地局の優先周波数帯の利用状況が変化するときに送信されてもよいし、または第3の基地局による他の基地局の優先周波数帯の利用状況が変化するシナリオで送信されてもよい。第3の基地局によって第2のブロードキャスト情報を送信する周期は、資源割り当ておよび管理機能を有する機構またはエンティティによって設定され得る。
【００７７】
選択的に、第3の基地局によって送信される第2のブロードキャスト情報は、第3の基地局に割り当てられる優先周波数帯の基礎情報、および第3の基地局に割り当てられる優先周波数帯の使用率等の情報を搬送してもよい。加えて、第3の基地局によって送信される第2のブロードキャスト情報は、第3の基地局の基礎情報を含んでもよく、例えば、第3の基地局によって使用される時分割複信のTDD比率情報を含んでよい。
【００７８】
宣言チャネルにおいて、複数のオペレータの基地局により送信されるブロードキャスト情報、例えば、少なくとも1つの第2の基地局によって送信される第1のブロードキャスト情報、および/または、少なくとも1つの第1の基地局によって送信される第3のブロードキャスト情報、および/または、少なくとも1つの第3の基地局によって送信される第2のブロードキャスト情報は、時分割多重化、周波数分割多重化、符号分割多重化、または空間多重化などの方法で直交性を実現してもよく、前記の方法の組み合わせで直交性を実現してもよく、またその他の多重化の方法で直交性を実現してもよく、その結果、各オペレータの基地局のブロードキャスト情報が、干渉なく宣言チャネルで送信されることを実現する。
【００７９】
本発明の実施形態は種々の実施のシナリオに適用可能であり、例えば、あるシナリオでは、基地局の配置の初期段階において、サービスプランニングおよびサービスロード等の側面を考慮してオペレータは、ある地理的エリア内の周波数帯資源を有しているが、基地局がある期間でその地理的エリア内に配置されることが考慮に入れられてなく、それによって、地理的エリア内の基地局の配置を有する他のオペレータに対して、オペレータの優先周波数帯資源を多重化することができず、その結果、ある地理的エリア内の周波数帯資源の無駄が生じてしまう。他の実施シナリオでは、オペレータは、ある地理的エリア内でいくつかの基地局を動的に配置する。これらの基地局は、例えばピコおよびマイクロなどの低電力基地局であってもよいし、動的な電源のオンオフ動作を有する他の基地局であってもよい。基地局は、電源のオンオフを動的に選択することができ、これにより、サービスロードおよび節電等の他の側面の要求に合わせることができる。例えば、あるエリアのサービスロードが比較的低いとき、基地局は電源のオフを選択することができ、この場合、基地局によって使用される周波数帯資源は、ある期間解放される。本発明の実施形態により提供されるスペクトル割り当て方法は、上記の周波数帯資源を効果的に利用することが可能である。以上の記載は、実施形態で提供されるスペクトル割り当て方法の単なるいくつかの典型的な実施のシナリオであり、本発明の実施形態を限定するものではないことは理解されだろう。
【００８０】
この実施形態により提供されるスペクトル割り当て方法において、基地局は、他の基地局によって発行されるブロードキャスト情報を使用することで、他の基地局の優先周波数帯の利用状況を決定し、他の基地局の優先周波数帯の使用を決定し、これにより、異なるオペレータのデバイスが互いに干渉しないことを確実にする場合においても、スペクトル使用率が最大であることと同時に、異なるオペレータが、満足かつ公平なスペクトル使用エクスペリエンスを得ることを可能にする。
【００８１】
図3は、本発明によって提供されるスペクトル割り当て方法の他の実施形態のフローチャートである。図3に示されるように、この実施形態では、オペレータは第1の基地局を配置し、少なくとも1つの第2の基地局のブロードキャスト情報を取得することによって、第2の基地局が、優先周波数帯を使用しないことが決定され、第2の基地局の優先周波数帯を使用することが決定される。この方法は以下を含む。
【００８２】
S301:第1の基地局は、宣言チャネルにおいて、少なくとも1つの第2の基地局によって送信される第1のブロードキャスト情報を検出する。
【００８３】
S302:第1の基地局は、第1のブロードキャスト情報に含まれる第2の基地局の優先周波数帯の利用情報に基づき、第2の基地局がデータ送信のための第2の基地局の優先周波数帯の一部を使用する、または使用しないことを決定する。
【００８４】
S303:第1の基地局が、第2の基地局の優先周波数帯の全てまたは一部でデータを送信することを決定する。
【００８５】
第1の基地局が、第1のブロードキャスト情報に基づき、第2の基地局がデータ送信のための第2の基地局の優先周波数帯の一部を使用する、または使用しないことを決定する場合に、第1の基地局は、宣言チャネルによって事前に定められた資源で第3のブロードキャスト情報を送信することができる。ここで、第3のブロードキャスト情報は、第1の基地局による第2の基地局の優先周波数帯の利用情報を含み、例えば、第1の基地局が第2の基地局の優先周波数帯の全てまたは一部でデータを送信することを示すために使用され得る。第1の基地局が自身の優先周波数帯においてデータを送信することができ、この実施シナリオにおいて第1の基地局によって送信される第3のブロードキャスト情報が第1の基地局の優先周波数帯の利用情報を含むことで、他のオペレータの基地局が、第3のブロードキャスト情報に基づき、第1の基地局の優先周波数帯の使用を決定できることが理解されるだろう。
【００８６】
第2の基地局が第2の基地局の優先周波数帯の一部を使用する、または使用しないことを、第1のブロードキャスト情報に基づき、少なくとも2つの第1の基地局が決定する場合に、少なくとも2つの第1の基地局は、自身のサービスロード状況に基づき、それぞれの優先周波数帯を優先的に使用してよく、自身の優先周波数帯が未だにサービスロードを満足しないときには、少なくとも2つの第1の基地局は、調整機構を用いることにより、第2の基地局の優先周波数帯の使用を決定することができることに留意されたい。例えば、各第1の基地局による第2の基地局の優先周波数帯の使用の割合が交渉され得る。ここで、割合は、各第1の基地局のサービスロードに基づき決定されてもよいし、固定比例割り当て方式が採用されてもよいし、他の調整機構を介して決定されてもよい。
【００８７】
S304:第1の基地局が、第1の基地局が属するエリア内の任意の基地局と同期する。
【００８８】
第1の基地局が任意の第2の基地局と同期を行えるように、少なくとも1つの第2の基地局は、第1のブロードキャスト情報を送信する。
【００８９】
具体的に、第1の基地局は、第1の基地局が属するエリア内の任意の基地局の同期チャネルおよび/または同期シーケンスに基づき、第1の基地局が属するエリア内の任意の基地局の同期情報を取得する。ここで同期チャネルおよび/または同期シーケンスは、第1の基地局が属するエリア内の公共周波数帯、または第1の基地局が属するエリア内の任意の基地局の優先周波数帯の一部で送信される。
【００９０】
この実施形態における、第2の基地局が自身の優先周波数帯を使用するか否かに関わらず、第2の基地局が第1のブロードキャスト情報を送信することは、説明のための例として用いられていることに留意されたい。第2の基地局が第1のブロードキャスト情報を送信しないことがある実施のシナリオでは、第1の基地局が、第1の基地局が属するエリア内の任意の第2の基地局により発行される宣言チャネル上の第1のブロードキャスト情報をある時間期間検出しない場合は、第1の基地局は、S304の同期動作を実行する必要がない。
【００９１】
S305:第1の設定時間後、第1の基地局が第2の基地局によって使用されない第2の基地局の優先周波数帯でデータを送信する。
【００９２】
第1の基地局は、第1の基地局が属するエリア内の存在するシステムの同期情報に基づき、自身の同期情報を設定することができ、ここで存在するシステムの同期情報は、第1の基地局が属するエリアにアクセスする任意の基地局の同期情報であり得る。
【００９３】
選択的に、アクセス基地局の同期情報は、宣言チャネル上で採用される同期情報であってもよいし、送信データのための優先周波数帯上で採用される同期情報であってもよい。ここで優先周波数帯は、任意の基地局の優先周波数帯であってもよいし、他の基地局の優先周波数帯であってもよい。
【００９４】
選択的に、任意のアクセス基地局の同期情報は、同期チャネルまたは同期シーケンスにより運ばれてよく、同期チャネルまたは同期シーケンスは、任意のアクセス基地局の同期情報を一義的に指し示す。
【００９５】
選択的に、同期チャネルまたは同期シーケンスは、公共周波数帯または優先周波数帯で送信され得る。加えて、存在するシステムの同期情報は、その他の同期情報であってもよく、例えば、本明細書において限定はしないが、絶対時間であってよい。例えば、異なるオペレータの基地局により採用されたフレーム構造のフレーム境界が互いに整列されることを可能にするために、後で配置されたオペレータの基地局は、配置された他のオペレータの基地局もしくは配置された現在のオペレータの基地局のタイミング情報であって、宣言チャネル上のタイミング情報に基づき、自身のタイミング情報を設定してもよいし、または配置された他のオペレータの基地局または配置された現在のオペレータの基地局のタイミング情報であって、優先周波数帯上のタイミング情報に基づき、自身のタイミング情報を設定してもよいし、または、後で配置されたオペレータの基地局により採用されたフレーム構造のフレーム境界が、配置された他のオペレータの基地局もしくは配置された現在のオペレータの基地局により採用されたフレーム構造のフレーム境界と整列されることを可能にするために、後に配置されたオペレータの基地局は、システムの絶対時間に基づき、自身のタイミング情報を設定してもよい。
【００９６】
選択的に、異なる基地局の同期情報は、既存技術を用いることで補償され得る時間遅延を有する。例えば、無線インターフェース時間遅延は、ランダムアクセスチャネル(Random Access Channel, RACH)によって取り除くことが可能であり、これにより、異なる基地局のフレーム境界が可能な限り整列され得る。
【００９７】
第1の基地局がアクセスシステムの同期情報に基づき自身の同期情報を設定した後で、ある設定時間後に、第1の基地局は、自身の優先周波数帯でデータを送信するか、または第2の基地局によって使用されない第2の基地局の優先周波数帯でデータを送信する。ここで、設定時間は異なるオペレータにより共通に知られていてよく、設定時間を設定する規則は、異なるオペレータによって配置された基地局が、同じ周波数帯資源で相互干渉を生成しないことを確実にすることができる。
【００９８】
第1の基地局が、存在するシステムの同期情報に基づき自身の同期情報を設定する場合では、異なるエリア内の同じオペレータの基地局が非同期であるという問題が存在することに留意されたい。例えば、エリア1において、オペレータ1に属する基地局Aがはじめに配置され、オペレータ2に属する基地局Bがこのエリアに後で配置された場合、基地局Bは、基地局Aの同期情報に基づき自身の同期情報を取得し得る。しかし、エリア2において、オペレータ2に属する基地局Bがはじめに配置され、オペレータ1に属する基地局Aがそのエリアに後で配置される場合、基地局Aは、基地局Bの同期情報に基づき自身の同期情報を取得し得る。サービスの拡張に伴い、エリア1およびエリア2の配置範囲が次第に侵入すると、結果、次第にエリア3を形成する。ここでエリア3とは、エリア1およびエリア2の重複する領域であり、エリア3では、同じオペレータに属する基地局が非同期である問題が存在し得る。この実施のシナリオでは、異なる基地局間の相互干渉を可能な限り削減または防ぐために、エリア3の範囲内に配置された基地局は、エリア1およびエリア2内のより強い送信信号を有する基地局と同期し得る。
【００９９】
この実施形態で提供されるスペクトル割り当て方法では、基地局は、他の基地局によって発行されるブロードキャスト情報を使用することにより、他の基地局の優先周波数帯の利用状況を決定し得る。他の基地局の優先周波数帯資源の全てまたは一部が使用されない場合に、基地局は、他の基地局により使用されない優先資源を使用してデータを送信することができ、これにより、異なるオペレータのデバイスが互いに干渉しないことを確実にする場合においても、スペクトル使用率が最大であることと同時に、異なるオペレータが、満足かつ公平なスペクトル使用エクスペリエンスを得ることを可能にする。
【０１００】
図4は、本発明によって提供されるスペクトル割り当て方法のさらなる他の実施形態のフローチャートである。ここで、図4に示されるように、この実施形態では、少なくとも1つの第2の基地局のブロードキャスト情報を取得することによって、第2の基地局の優先周波数帯を使用する第1の基地局は、第2の基地局が優先周波数帯を既に使用していること、および使用される第2の基地局の優先周波数帯から抜け出ることを決定する。この方法は、以下を含む。
【０１０１】
S401:第1の基地局が、少なくとも1つの第2の基地局によって送信される第1のブロードキャスト情報を宣言チャネル上で検出する。
【０１０２】
S402:第1の基地局が、少なくとも1つの第2の基地局によって送信される第1のブロードキャスト情報を取得する。
【０１０３】
S403:第1の基地局は、第2の基地局がデータ送信のための第2の基地局の優先周波数帯を使用することを決定する。
【０１０４】
S404:第1の基地局は、使用される第2の基地局の優先周波数帯の全てまたは一部から抜け出ることを決定する。
【０１０５】
S405:第1の基地局が、第1の設定時間後に、使用される第2の基地局の優先周波数帯の全てまたは一部から抜け出る。
【０１０６】
この実施形態では、第2の基地局が第2の基地局の優先周波数帯を既に使用していること、または使用する準備をしていることを、第1の基地局が第2の基地局によって送信される第1のブロードキャスト情報に基づき決定する場合に、第1の基地局は、使用される第2の基地局の優先周波数帯の全てまたは一部を第1の設定時間後に開放し得る。
【０１０７】
さらに、第1の基地局は、第3のブロードキャスト情報を宣言チャネルで送信し得る。ここで、第3のブロードキャスト情報は、第1の基地局による第2の基地局の優先周波数帯の利用情報を含み、第1の基地局が、使用される第2の基地局の優先周波数帯の全てまたは一部を開放することを示すために使用される。
【０１０８】
第1の基地局が第1の基地局が属するエリア内のユーザにサービスを提供しない場合、第1の基地局は、自身の優先周波数帯および第2の基地局の優先周波数帯の使用から抜け出るとともに、自身の優先周波数帯および第2の基地局の優先周波数帯の利用状況を第3のブロードキャスト情報を送信することにより示すことができ、これによって、他のオペレータの基地局が、第3のブロードキャスト情報により、第1の基地局の優先周波数帯、または第2の基地局の優先周波数帯を使用することができることに留意されたい。
【０１０９】
第2の基地局がデータ送信のための第2の基地局の優先周波数帯をこれから使用することを、第2の基地局によって送信される第1のブロードキャスト情報が示す場合は、つまりステップ403において第2の基地局は、データ送信のための第2の基地局の優先周波数帯を使用しないことに留意されたい。第1の設定時間後に、第2の基地局は、データを送信するための第2の基地局の優先周波数帯の全てまたは一部を使用し、その結果、第1の基地局および第2の基地局が第2の基地局の優先周波数帯の使用により相互干渉を生成することを防ぐ。
【０１１０】
この実施形態により提供されるスペクトル割り当て方法では、
基地局は、他の基地局によって発行されるブロードキャスト情報を使用することによって、他の基地局の優先周波数帯の利用状況を決定することができ、他の基地局の優先周波数帯資源を使用する手順において、他の基地局が、データ送信のためのその他の基地局の優先周波数帯を既に使用している、またはこれから使用することを基地局が気付く場合、基地局は、使用される他の基地局の優先周波数帯から抜け出ることができ、これにより、異なるオペレータのデバイスが互いに干渉しないことを確実にする場合においても、スペクトル使用率が最大であることと同時に、異なるオペレータが、満足かつ公平なスペクトル使用エクスペリエンスを得ることを可能にする。
【０１１１】
図5は、本発明によって提供される第1の基地局の実施形態の概略的構成図であり、図5に示されるように、第1の基地局は、受信ユニット11およびプロセッサ12を備え、ここで、
受信ユニット11は、少なくとも1つの第2の基地局によって送信される第1のブロードキャスト情報を取得するように構成され、
プロセッサ12は、第1のブロードキャスト情報に基づき、少なくとも1つの第2の基地局の優先周波数帯の利用状況を決定するとともに、少なくとも1つの第2の基地局の優先周波数帯の利用状況に基づき、少なくとも1つの第2の基地局の優先周波数帯の第1の基地局による使用を決定するように構成される。
【０１１２】
選択的に、プロセッサ12は具体的に、受信ユニット11が第2の基地局によって送信される第1のブロードキャスト情報を取得する場合に、第2の基地局が、データを送信するための第2の基地局の優先周波数帯を使用することを決定するとともに、受信ユニット11が第2の基地局によって送信される第1のブロードキャスト情報を取得しない場合に、第2の基地局が、データを送信するための第2の基地局の優先周波数帯を使用しないことを決定するか、または、
受信ユニット11が第2の基地局によって送信される第1のブロードキャスト情報を取得しない場合に、第2の基地局が、データを送信するための第2の基地局の優先周波数帯を使用することを決定するとともに、受信ユニット11が第2の基地局によって送信される第1のブロードキャスト情報を取得する場合に、第2の基地局が、データを送信するための第2の基地局の優先周波数帯を使用しないことを決定するか、または、
第1のブロードキャスト情報が第2の基地局の優先周波数帯の利用情報を含む場合に、第2の基地局がデータを送信するための第2の基地局の優先周波数帯を使用する/使用しないことを優先周波数帯の利用情報に基づき決定するように構成され得る。
【０１１３】
選択的に、プロセッサ12は具体的に、第2の基地局がデータを送信するための第2の基地局の優先周波数帯の一部を使用する、または使用しないことが、第1のブロードキャスト情報に基づき決定された場合に、第2の基地局の優先周波数帯の全てまたは一部でデータを送信することを決定するか、または、第2の基地局が、データを送信するための第2の基地局の優先周波数帯を使用することが、第1のブロードキャスト情報に基づき決定された場合に、使用される第2の基地局の優先周波数帯の全てまたは一部から抜け出ることを決定する、ように構成され得る。
【０１１４】
選択的に、プロセッサ12は、第1の設定時間後に、使用される第2の基地局の優先周波数帯の全てまたは一部から抜け出すようにさらに構成され得る。
【０１１５】
選択的に、プロセッサ12は、基地局が属するエリア内の任意の基地局と同期するようにさらに構成され得る。
【０１１６】
選択的に、プロセッサ12は具体的に、基地局が属するエリア内の任意の基地局の同期チャネルおよび/または同期シーケンスに基づき、基地局が属するエリア内の任意の基地局の同期情報を取得するように構成され得る。ここで、同期チャネルおよび/または同期シーケンスは、基地局が属するエリア内の公共周波数帯で送信されるか、または基地局が属するエリア内の任意の基地局の優先周波数帯の一部で送信される。
【０１１７】
選択的に、プロセッサ12は、第1の基地局の優先周波数帯でデータを送信するようにさらに構成され得る。
【０１１８】
選択的に、受信ユニット11は、少なくとも1つの第3の基地局により送信される第2のブロードキャスト情報を取得するようにさらに構成され得る。ここで、第2のブロードキャスト情報は、第3の基地局による第1の基地局の優先周波数帯の利用情報を搬送する。
【０１１９】
選択的に、プロセッサ12は、第3の基地局が基地局の優先周波数帯でデータを送信することが、第3の基地局による第1の基地局の優先周波数帯の利用情報に基づき決定される場合に、第2の設定時間後に、基地局の優先周波数帯でデータを送信するようにさらに構成され得る。
【０１２０】
図6は、本発明によって提供される基地局の他の実施形態の概略的構成図であり、図6に示されるように、基地局は、受信ユニット11、プロセッサ12、および送信ユニット13を備え、
送信ユニット13は、第3のブロードキャスト情報を送信するように構成され、第3のブロードキャスト情報は、基地局による第2の基地局の優先周波数帯の利用情報を含む。
【０１２１】
選択的に、第2の基地局によって送信される第1のブロードキャスト情報が、宣言チャネルで送信され、宣言チャネルが、基地局が属するエリア内の公共周波数帯を占有するか、または第2の基地局の優先周波数帯を占有してもよく、
および/または、送信ユニット13によって送信される第3のブロードキャスト情報が宣言チャネルで送信され、宣言チャネルが、基地局が属するエリア内の公共周波数帯を占有するか、または基地局の優先周波数帯を占有してもよく、
および/または、第3の基地局によって送信される第2のブロードキャスト情報が宣言チャネル上で送信され、宣言チャネルが、基地局が属するエリア内の公共周波数帯を占有するか、または第3の基地局の優先周波数帯を占有してもよい。
【０１２２】
選択的に、宣言チャネルが、基地局が属するエリア内の公共周波数帯を占有する場合、少なくとも1つの第2の基地局によって送信される第1のブロードキャスト情報、および/または、送信ユニット13によって送信される第3のブロードキャスト情報、および/または、第3の基地局によって送信される第2のブロードキャスト情報は、時間分割法、周波数分割法、符号分割法、または空間分割法の任意の1または2以上の組み合わされた方法で直交性を実現することができる。
【０１２３】
選択的に、さらに第1のブロードキャスト情報が第2の基地局によって使用される時分割複信TDD比率情報を含み、さらに第3のブロードキャスト情報が基地局により使用されるTDD比率情報を含み、さらに第2のブロードキャスト情報が第3の基地局によって使用されるTDD比率情報を含む。
【０１２４】
本発明の実施形態で提供される基地局は、本発明によって提供されるスペクトル割り当て方法に対応し、スペクトル割り当て方法の実行デバイスであり、スペクトル割り当て方法を実行する具体的な手順のためのものである。本発明での図1から図4に対応する方法の実施形態の関連する説明を参照することができ、ここで再び詳細な説明を行わない。
【０１２５】
本発明によって提供される基地局では、他の基地局によって発行されるブロードキャスト情報を使用することにより、基地局は他の基地局の優先周波数帯の利用状況を決定し、他の基地局の優先周波数帯の使用を決定することができ、これにより、異なるオペレータのデバイスが互いに干渉しないことを確実にする場合においても、スペクトル使用率が最大であることと同時に、異なるオペレータが、満足かつ公平なスペクトル使用エクスペリエンスを得ることを可能にする。
【０１２６】
図7は、本発明によって提供される第1の基地局の他の実施形態の概略的構成図であり、図7に示されるように、第1の基地局は、検出ユニット21および決定ユニット22を含み、
検出ユニット21は、少なくとも1つの第2の基地局によって送信される第1のブロードキャスト情報に基づき、少なくとも1つの第2の基地局の優先周波数帯の利用状況を決定するように構成され、
決定ユニット22は、少なくとも1つの第2の基地局の優先周波数帯の利用状況に基づき、少なくとも1つの第2の基地局の優先周波数帯の第1の基地局による使用を決定するように構成される。
【０１２７】
選択的に、検出ユニット21は具体的に、第2の基地局によって送信される第1のブロードキャスト情報が取得される場合では、第2の基地局が、データ送信のための第2の基地局の優先周波数帯を使用することを決定するとともに、第2の基地局によって送信される第1のブロードキャスト情報が取得されない場合では、第2の基地局が、データ送信のための第2の基地局の優先周波数帯を使用しないことを決定するか、または、第2の基地局によって送信される第1のブロードキャスト情報が取得されない場合では、第2の基地局が、データ送信のための第2の基地局の優先周波数帯を使用することを決定するとともに、第2の基地局によって送信される第1のブロードキャスト情報が取得される場合では、第2の基地局が、データ送信のための第2の基地局の優先周波数帯を使用しないことを決定するか、または、第1のブロードキャスト情報が第2の基地局の優先周波数帯の利用情報を含む場合に、第2の基地局が、データ送信のための第2の基地局の優先周波数帯を使用する/使用しないことを、第2の基地局の優先周波数帯の利用情報に基づき決定するように構成され得る。
【０１２８】
選択的に、決定ユニット22は具体的に、検出ユニットが、第2の基地局がデータ送信のための第2の基地局の優先周波数帯の一部を使用する、または使用しないことを、第1のブロードキャスト情報に基づき決定する場合、第2の基地局の優先周波数帯の全てまたは一部でデータを送信することを決定するか、または、検出ユニットが、第2の基地局が、データ送信のための第2の基地局の優先周波数帯を使用することを、第1のブロードキャスト情報に基づき決定する場合、使用される第2の基地局の優先周波数帯の全てまたは一部から抜け出ることを決定するように構成される。
【０１２９】
図8は、本発明によって提供される基地局の他の実施形態の概略的構成図であり、図8に示されるように、基地局は、検出ユニット21および決定ユニット22を備える。
【０１３０】
さらに基地局は、
使用される第2の基地局の優先周波数帯の全てまたは一部から抜け出ることを決定ユニット22が決定した後で、第1の設定時間後に、使用される第2の基地局の優先周波数帯の全てまたは一部から抜け出るように構成される第1の処理ユニット23をさらに備え得る。
【０１３１】
さらに、基地局は、
第2の基地局の優先周波数帯の全てまたは一部でデータを送信することを決定ユニット22が決定した後で、基地局が属するエリア内の任意の基地局と同期するように構成される第2の処理ユニット24をさらに備える。
【０１３２】
選択的に、第2の処理ユニット24は具体的に、基地局が属するエリア内の任意の基地局の同期チャネルおよび/または同期シーケンスに基づき、基地局が属するエリア内の任意の基地局の同期情報を取得するように構成され得る。ここで、同期チャネルおよび/または同期シーケンスは、基地局が属するエリア内の公共周波数帯で送信されるか、または基地局が属するエリア内の任意の基地局の優先周波数帯の一部で送信される。
【０１３３】
さらに、基地局は、
基地局の優先周波数帯でデータを送信するように構成される第3の処理ユニット25をさらに備え得る。
【０１３４】
選択的に、検出ユニット21は、少なくとも1つの第3の基地局により送信された第2のブロードキャスト情報を取得するようにさらに構成されてよく、ここで第2のブロードキャスト情報は、第3の基地局による第1の基地局の優先周波数帯の利用情報を搬送する。
【０１３５】
選択的に、決定ユニット22は、第3の基地局が基地局の優先周波数帯でデータを送信することを、第3の基地局による基地局の優先周波数帯の利用情報に基づき決定するようにさらに構成されてよく、
具体的に第3の処理ユニット25は、第3の基地局が基地局の優先周波数帯でデータを送信することを決定ユニットが決定した場合に、第2の設定時間後に、基地局の優先周波数帯でデータを送信するように構成される。
【０１３６】
さらに、基地局は、
第3のブロードキャスト情報を送信するように構成される送信ユニット26をさらに備えてよく、ここで第3のブロードキャスト情報は、第1の基地局による第2の基地局の優先周波数帯の利用情報を含む。
【０１３７】
選択的に、第2の基地局によって送信される第1のブロードキャスト情報が、宣言チャネルで送信され、宣言チャネルが、基地局が属するエリア内の公共周波数帯を占有するか、または第2の基地局の優先周波数帯を占有してもよいし、
および/または、送信ユニット26によって送信される第3のブロードキャスト情報が、宣言チャネルで送信され、宣言チャネルが、基地局が属するエリア内の公共周波数帯を占有するか、または基地局の優先周波数帯を占有してもよいし、
および/または、第3の基地局によって送信される第2のブロードキャスト情報が、宣言チャネルで送信され、宣言チャネルが、基地局が属するエリア内の公共周波数帯を占有するか、または第3の基地局の優先周波数帯を占有してもよい。
【０１３８】
選択的に、宣言チャネルが、基地局が属するエリア内の公共周波数帯を占有する場合、
少なくとも1つの第2の基地局によって送信される第1のブロードキャスト情報、および/または、送信ユニット26によって送信される第3のブロードキャスト情報、および/または、第3の基地局によって送信される第2のブロードキャスト情報は、時間分割法、周波数分割法、符号分割法、または空間分割法の任意の1または2以上の組み合わされた方法で直交性を実現することができる。
【０１３９】
選択的に、第1のブロードキャスト情報は、第2の基地局によって使用される時分割複信TDD比率情報をさらに含んでもよく、および/または、第3のブロードキャスト情報は、第1の基地局によって使用されるTDD比率情報をさらに含んでもよく、および/または、第2のブロードキャスト情報は、第3の基地局によって使用されるTDD比率情報をさらに含んでもよい。
【０１４０】
本発明の実施形態で提供される基地局は、本発明によって提供されるスペクトル割り当て方法に対応し、スペクトル割り当て方法の実行デバイスであり、スペクトル割り当て方法を実行する具体的な手順のためのものである。本発明での図1から図4に対応する方法の実施形態の関連する説明を参照することができ、ここで再び詳細な説明を行わない。
【０１４１】
本発明によって提供される基地局では、基地局は、他の基地局によって発行されるブロードキャスト情報を使用することによって、他の基地局の優先周波数帯の利用状況を決定し、他の基地局の優先周波数帯の使用を決定することができ、これにより、異なるオペレータのデバイスが互いに干渉しないことを確実にする場合においても、スペクトル使用率が最大であることと同時に、異なるオペレータが、満足かつ公平なスペクトル使用エクスペリエンスを得ることを可能にする。
【０１４２】
当業者は、簡便および簡潔な説明の目的で、上記の機能的モジュールの分割が実際の実施における説明のための例示として用いられたことを明らかに理解するであろう。上記の機能は、要求に基づき実施のために異なる機能的モジュールに配置され得る。つまり、装置の内部構造は、異なる機能的モジュールに分解され上記の機能の全てまたは一部を実施する。上記のシステム、装置、およびユニットの詳細な稼働プロセスについては、上記の方法の実施形態での対応するプロセスを参照することができ、ここで再び詳細に説明しない。
【０１４３】
本願で提供されるいくつかの実施形態において、開示されるシステム、装置、および方法が、他の方法で実施可能であることは理解されるべきである。例えば、上記の装置の実施形態は、単に例示的なものである。また例えば、モジュールまたはユニットの分割は、単に論理的機能の分割の種類であり、実際の実施に際して他の分割の仕方があってもよい。例えば、複数のユニットおよび構成要素は、他のシステムに組み合わされる、または統合されてもよく、いくつかの特徴は無視されてもよいし、または実行されなくてもよい。加えて、示した、または説明した相互結合または直接結合または通信接続は、いくつかのインターフェースにより実施されてよい。非直接的結合、または装置もしくはユニット間の通信接続は、電気的、機械的、またはその他の形態で実施されてよい。
【０１４４】
別々の部分として説明されたユニットは、物理的に別々であってもそうでなくてもよく、ユニットとして示された部分は、物理的なユニットであってもよくそうでなくてもよいし、1つの場所に位置してもよいし、または複数のネットワークユニット上で分散されてもよい。ユニットの一部または全ては、実施形態の解決方法の目的を達成するために、実際の必要性に基づき選択され得る。
【０１４５】
加えて、本願の実施形態の機能的ユニットは1つの処理ユニットに統合されてもよいし、各ユニットが物理的に単独で存在してもよいし、または2以上のユニットが1つのユニットに統合されてもよい。統合されたユニットは、ハードウェアの形態で実施されもよいし、またはソフトウェア機能ユニットの形態で実施されてもよい。
【０１４６】
統合されたユニットがソフトウェア機能ユニットの形態で実施され、独立した製品として販売または使用される場合、統合されたユニットは、コンピュータ可読記録媒体内に記録され得る。このような理解に基づき、本質的に本発明の技術的解決方法、先行技術への貢献箇所、または技術的解決方法の全てもしくは一部は、ソフトウェア製品の形態で埋め込まれる。コンピュータソフトウェア製品は、記録媒体内に記録され、(パーソナルコンピュータ、サーバ、またはネットワークデバイス等であり得る)コンピュータデバイスまたはプロセッサを命令し、本願の実施形態で説明された方法のステップの全てまたは一部を実行するためのいくつかの命令を含む。上記の記録媒体は、例えば、USBフラッシュディスク、リムーバルハードディスク、読み出し用メモリ(ROM, Read-Only Memory)、ランダムアクセスメモリ(RAM, Random Access Memory)、磁気ディスク、または光ディスクなどの、プログラムコードを記録可能な任意の媒体を含む。
【０１４７】
上記の実施形態は、本発明を限定するのではなく、単に本願の技術的解決を説明することを意図していることは留意されるべきである。本願は、上記の実施形態を参照しながら詳細に説明されたが、当業者であれば、上記の実施形態で説明された技術的解決方法についての変更がやはり可能であり、また上記の実施形態で説明された技術的解決のいくつかの技術的特徴を等価に置換することが可能であることを理解するであろう。一方で、これらの変更および置換は、本発明の実施形態の技術的解決方法の主旨および範囲を超える、対応する技術的解決方法の本質を与えるものではない。
【符号の説明】
【０１４８】
１１  受信ユニット
１２  プロセッサ
１３  送信ユニット
２１  検出ユニット
２２  決定ユニット
２３  第1の処理ユニット
２４  第2の処理ユニット
２５  第3の処理ユニット
２６  送信ユニット
【図１】
0005990844.tif 000002
【図２】
0005990844.tif 000003
【図３】
0005990844.tif 000004
【図４】
0005990844.tif 000005
【図５】
0005990844.tif 000006
【図６】
0005990844.tif 000007
【図７】
0005990844.tif 000008
【図８】
0005990844.tif 000009